(57)【特許請求の範囲】
【請求項１】
スピーカの前面に開口部が矩形形状の音波を導く音響管を結合し、この音響管の内部に、上記スピーカの振動部の有効面積を一旦絞り込んでから拡散するように壁面を形成したスロート部を上記スピーカの前面部に設けると共に、このスロート部の終端となる音響管内部の両側面に吸音材、ならびにこの吸音材の内面に密着して壁面を形成する反射壁をそれぞれ配置し、この２つの反射壁間に対向して配置された第１の反射板と第２の反射板を前記音響管の開口正面方向からみて前記第１および第２の反射板の一端側の対向する間隔と他端側の対向する間隔を異ならせて、前記第１および第２の反射板を非平行に配置することにより、この第１、第２の反射板間に上記スピーカから放射される音波を導く音路を形成したスピーカ装置。
【請求項２】
第１の反射板と第２の反射板の長さが互いに異なるようにした請求項１に記載のスピーカ装置。
【発明の詳細な説明】
【０００１】
【産業上の利用分野】
本発明はテレビジョン受像機などの映像用機器や、自動車、各種音響機器に利用されるスピーカ前面に音波を導く音響管を結合したスピーカ装置に関するものである。
【０００２】
【従来の技術】
スピーカの前面にホーンや音響管を結合し、スピーカから発生した音波を上記音響管の開口部まで導く方法は、ホーンや音響管を用いない場合に比べて出力音圧が大きく得られることや、特定の方向に音が伝えられるなどの利点があり、従来から多く用いられている。
【０００３】
以下、図面を参照し従来の音響管を用いたスピーカ装置について説明する。
図５は、上記従来のスピーカ装置を内蔵したテレビジョン受像機の構造概念図である。図５において１は音響管、８はスピーカ、２４はテレビキャビネット、２５は陰極線管、２６はバックキャビネットを表わしたものである。
【０００４】
以上のように構成されたスピーカ装置を内蔵したテレビジョン受像機の動作について説明する。図５に示すように、スピーカ８の前面部に音波を導く音響管１を結合したスピーカ装置をテレビジョン受像機内部の陰極線管２５に沿わせて内蔵し、さらにテレビキャビネット２４を上記スピーカ装置に沿わせる構造とすることにより、テレビジョン受像機の小型スリム化が可能となるものである。
【０００５】
図４は上記音響管１をスピーカ８の前面に結合した従来のスピーカ装置の構成を示した平面断面図である。図４において９は音波を発生させるスピーカ８の振動板で、１０はスピーカ８と音響管１を密閉結合する縁立てリブ、７はスピーカ８の前面部に設けられたスロートの絞り込み部で、５は上記スピーカ８より放射された音波を音響管開口部３へ導くために両サイドに設けられた反射壁、２は吸音材であり、４は音波が通る音路である。
【０００６】
以上のように構成された従来のスピーカ装置について、以下にその動作を説明する。
【０００７】
まず、スピーカ８に入力信号が印加されるとスピーカの振動板９が振動し、音波が音響管１の内部の音路４を通って音響管開口部３から放射されるものである。しかし、音響管開口部３で音響インピーダンスが大きく変化しているため音波の一部は反射して、音路４に戻ってきて定在波を作り、また音響管１の長さで発生する定在波によりピークディップの激しい乱れた再生音圧周波数特性になってしまう。
【０００８】
しかしながら、音響管１の内部に配置した吸音材２は、この各定在波を吸収し抑制することにより平坦な再生音圧周波数特性を作り出す。さらに反射壁５は、スピーカの振動板９から放出されスロートの絞り込み部７にて高められた音が吸音材２に直接吸収されないように配置され、特に高域の補正にも作用している。これによって細長くほぼ矩形形状に近い形状に構成された音響管開口部３により自然な音響再生が可能となるように構成されたものであった。
【０００９】
【発明が解決しようとする課題】
しかしながら上記従来の構成では、図４に示すように音響管１の内部に発生する定在波を抑えるために設けた吸音材２によって中高域成分の音波まで吸収されてしまい、この現象を防ぐことを目的として反射壁５が設けられているものの、図３の符号１９に示すように高域再生帯域の減衰が大きく、高域の音圧周波数特性を低下させるという課題を有していた。また、定在波を抑えるためには吸音材２を大量に使用せざるを得ず、コスト面でも課題を残しているものであった。
【００１０】
本発明は上記従来の課題を解決するもので、高域の再生帯域の音圧周波数特性の向上と低コスト化を図り、更に再生音圧周波数特性が平坦になる音響特性の優れたスピーカ装置を提供することを目的とするものである。
【００１１】
【課題を解決するための手段】
この課題を解決するために本発明のスピーカ装置は、スピーカの前面に開口部が矩形形状の音波を導く音響管を結合し、この音響管の内部に、上記スピーカの振動部の有効面積を一旦絞り込んでから拡散するように壁面を形成したスロート部を上記スピーカの前面部に設けると共に、このスロート部の終端となる音響管内部の両側面に吸音材、ならびにこの吸音材の内面に密着して壁面を形成する反射壁をそれぞれ配置し、この２つの反射壁間に対向して配置された第１の反射板と第２の反射板を前記音響管の開口正面方向からみて前記第１および第２の反射板の一端側の対向する間隔と他端側の対向する間隔を異ならせて、前記第１および第２の反射板を非平行に配置して、この第１、第２の反射板間に上記スピーカから放射される音波を導く音路を形成した構成としたものである。
【００１２】
【作用】
この構成により、機器への組込みを考慮し開口部を細長い矩形形状としたホーンや音響管を有するスピーカ装置においても、音響管内部の音響管スロート部から開口端にかけて反射壁より内側に配置した第１の反射板と、この第１の反射板と対向して配置された第２の反射板により形成された音路が高域再生帯域の音路となり、スピーカの振動板から放射された高音域の音波をこの音路を介して音響管開口端に放射することができ、高域の再生周波数帯域の特性を向上することができるとともに、さらに前記第１、第２の反射板を前記音響管の開口正面方向からみて前記第１および第２の反射板の一端側の対向する間隔と他端側の対向する間隔を異ならせて、前記第１および第２の反射板を非平行としたことにより、大きなピークディップの発生を防いで高域音声帯域を平坦化することができ、且つ高域の音圧を向上させることが可能となる。
【００１３】
【実施例】
まず、図１により本発明にいたる改善例について説明する。
【００１４】
図１は改善例における音響管部を主体としたスピーカ装置の平面断面図であり、上記図４を用いて説明した従来のスピーカ装置と同じ構成の部品には同じ符号を付与し、詳細な説明は省略する。図１において８は全帯域再生用のスピーカであり、このスピーカ８の前面部には、機器への組込みを考慮して音響管開口部３を細長い矩形形状とした音波を導く音響管１Ａが縁立てリブ１０を介し密閉結合されている。
【００１５】
また、１１，１２は上記音響管１Ａの内部に配設された第１の反射板と第２の反射板であり、この第１、第２の反射板１１，１２はスピーカ８より放射される音波を音響管１Ａの開口部３まで導くためにスロートの絞り込み部７の近傍から開口部３にかけて対向して平行に配置されると共に、第１の反射板１１と第２の反射板１２との間に音路１３を形成し、この音路１３で音響特性の補正をしようとするものである。
【００１６】
以上のように構成された改善例のスピーカ装置について、以下にその動作を説明する。まず、スピーカ８に入力信号が印加されると振動板９が振動し、その音波が音響管１Ａの内部に形成された音路１３を通って音響管の開口部３に導かれる。その際、第１の反射板１１と第２の反射板１２間の距離を調整して音路１３の幅を変化させることにより、特定の周波数帯域に定在波を発生させて音圧を強調することができる。このようにして高域の周波数帯域に定在波を発生させるように音響管特有の共振現象がうまく発生する距離に設定することにより、高域の周波数帯域の音圧を向上させることが可能となるものである。
【００１７】
上記改善例によるスピーカ装置の音圧周波数特性を従来のスピーカ装置の音圧周波数特性と比較して図３の符号２０に示している。
【００１８】
この図３からも分かるように、反射壁５より内側に配置した第１の反射板１１と第２の反射板１２を一定の距離をもたせて対向して平行に配置することにより、音響管１Ａの内部に発生する定在波を調整すると同時に、音圧周波数特性にピークディップが少なく、且つ高音域の音圧が高い特性とすることが可能になる。
【００１９】
また、本改善例のスピーカ装置をテレビジョン受像機に内蔵することにより、テレビジョン受像機の小型スリム化を容易に実現できるほか、高性能で高音質のテレビジョン受像機とすることが可能となるものである。
【００２０】
（実施例１）
以下、本発明の一実施例について図面を参照しながら説明する。
【００２１】
図２は同実施例における音響管部を主としたスピーカ装置の開口部方向から見た要部である反射壁とスピーカと反射板の関係を説明する正面断面図である。
【００２２】
図２において１Ｂは音響管、１１Ａは第１の反射板であり、１２Ａは第２の反射板であり、図２に記載の如くこの第１の反射板１１Ａおよび第２の反射板１２Ａの一端側の間隔をＬ１、他端側の間隔をＬ２としたとき、Ｌ１＞Ｌ２となるように配置し、前述した改善例と異なり、第１の反射板１１Ａおよび第２の反射板１２Ａを非平行となるようにしたものである。
１３Ａは上記第１の反射板１１Ａと第２の反射板１２Ａとの間に形成された音路である。
【００２３】
以上のように構成された本実施例によるスピーカ装置の場合、第１の反射板１１Ａと第２の反射板１２Ａの距離Ｌ１と距離Ｌ２を調整することで第１の反射板１１Ａと第２の反射板１２Ａの間隔と傾きを調整し、音路１３Ａにおいて発生する定在波の周波数帯域を特定の周波数帯域ではなく、上記第１の反射板１１Ａと第２の反射板１２Ａの距離Ｌ１と距離Ｌ２により決まる周波数帯域の間に分散させることができるようになり、大きなピークディップの発生を防いで高域音声帯域を平坦化することができ、且つ高域の音圧を向上させることが可能となる。
【００２４】
また、上記第１の反射板１１Ａと第２の反射板１２Ａの長さを異なるようにして配置することにより、第１の反射板１１Ａと第２の反射板１２Ａとの距離、傾きでは発生しない定在波を発生させることが可能となり、より広範囲で音圧周波数特性をコントロールすることが可能となる。
【００２５】
このように上記第１の反射板１１Ａと第２の反射板１２Ａ間の距離、傾き、長さを調整することにより共振周波数を操作し、２〜２０ｋＨｚの周波数帯域を補正するように設定された構成にすることができ、高域の重要な周波数帯域である２〜２０ｋＨｚの音圧を向上させることが可能となり、従来品では実現できなかった高域の音圧向上が実現できるものである。特に、高域帯域をアップさせることにより再生音圧周波数特性のピークディップを抑えることができ、音響特性的にも平坦にすることができる。
【００２６】
また、第１の反射板１１Ａと第２の反射板１２Ａにより定在波をコントロールする構成とすることにより、従来の吸音材の使用量よりも少量で定在波の抑制が実現でき、コスト的にも安価にすることができる。
【００２７】
また、このスピーカ装置をテレビジョン受像機に組み込んだ場合の再生音圧周波数特性として見た場合、ピークディップの少ない特性とすることが可能となり、従来品では実現できなかった高音域の音圧向上と再生音圧周波数特性の平坦化、更に吸音材の少量化が図れ、優れた音響特性を実現できるものである。
【００２８】
なお、本発明の音響管の構造により構成されたスピーカ装置に、後面キャビネットおよびバスレフ・ポート等を設けた場合においても同様の効果が得られることは言うまでもない。
【００２９】
【発明の効果】
以上のように本発明によるスピーカ装置は、高音域を構成する重要な周波数帯域である２〜２０ｋＨｚの音圧を向上させることが可能となる他、ピークディップの少ない平坦な再生音圧周波数特性とすることができ、従来品では実現できなかった高域の音圧の向上を図った優れた音響特性を実現でき、また、二枚の反射板により共振周波数を操作することにより、音響管の内部に配置する吸音材の量を軽減することができ、コスト面でも優位なスピーカ装置を実現することができるものである。
【図面の簡単な説明】
【図１】発明に至る改善例における音響管部を主体としたスピーカ装置の平面断面図
【図２】本発明の一実施例における音響管部を主としたスピーカ装置の開口部方向から見た要部である反射壁とスピーカと反射板の関係を説明する正面断面図
【図３】図１に記載の改善例のスピーカ装置の再生音圧周波数特性と従来のスピーカ装置の再生音圧周波数特性を比較した特性図
【図４】従来のスピーカ装置の構成を示した平面断面図
【図５】従来の音響管を用いたスピーカ装置を内蔵したテレビジョン受像機の構造概念図
【符号の説明】
１Ａ，１Ｂ  音響管
２  吸音材
３  音響管開口部
５  反射壁
７  スロートの絞り込み部
８  スピーカ
９  振動板
１０  縁立てリブ
１１，１１Ａ  第１の反射板
１２，１２Ａ  第２の反射板
１３，１３Ａ  音路
２０  本発明によるスピーカ装置の音圧周波数特性
【図１】
0003552276.tif 000002
【図２】
0003552276.tif 000003
【図３】
0003552276.tif 000004
【図４】
0003552276.tif 000005
【図５】
0003552276.tif 000006